(57)【要約】      （修正有）【課題】ロックがスムーズになされ、また、ロック状態が安定するように、手間をかけることなく取り付けられる扉の開き防止具の取り付け治具を提供する。【解決手段】ガイド部材５０は樹脂製で円形環状であり、その両面の対応する４か所の位置に位置決め突起５１…のそれぞれが設けられている。ガイド部材５０は位置決め突起５１のそれぞれが台座の上面設けられた４個の位置決め穴と、本体部の一方側部の後面に設けられた４個の位置決め穴に嵌合される。ガイド部材５０を介して台座と本体部とが一体とされた状態において、嵌合穴に突起が位置ずれすることなく正確に嵌合するようにガイド部材５０における位置決め突起５１と本体部と台座との位置決め穴とが設計配置されている。その一体とされた状態において裏面が貼り付けられて閉じられた状態の両扉表面に取り付けられ、その取り付け後にガイド部材５０は取り外される。【選択図】図１２
0003181194.tif 000002
【実用新案登録請求の範囲】
【請求項１】
扉の開き防止具を取り付けるための取り付け用治具であり、
扉に取り付けられる第１の部材と前記扉に隣接する構造物に取り付けられて前記第１の部材と互いにロックされる第２の部材とを、互いがロックされる状態に位置決めし、その位置決め状態において前記部材それぞれが前記扉及び前記構造物それぞれに取り付けられた後に取り外されて使用されることを特徴とする扉の開き防止具の取り付け用治具。
【請求項２】
前記構造物が前記扉に合わせ使用される扉である請求項１記載の扉の開き防止具の取り付け用治具。
【請求項３】
前記部材それぞれの重ね合わせ部位に介在使用される請求項１または２記載の扉の開き防止具の取り付け用治具。
【考案の詳細な説明】
【技術分野】
【０００１】  この考案は、家具等において使用される扉の開き防止具の取り付け用治具に関する。
【背景技術】
【０００２】  強い地震の発生時には家具の扉が開き内部の収納物が飛び出し、非常に危険であるとともに、その後片付けに手間がかかり、その対策として、各種の開き防止具が取り付けられて用いられている。
【考案の概要】
【考案が解決しようとする課題】
【０００３】  開き防止具は基本的に扉とその扉枠に取り付けられる２部材よりなるが、それぞれが互いに所定の位置関係となるように取り付けられないと、ロックがスムーズになされず、また、ロック状態が安定しないこととなる。したがってその取り付けを所定の位置に精度良く行うのに非常に手間がかかる問題があった。【０００４】  この考案は上記の点に鑑みて行ったもので、扉の開き防止具をロックがスムーズになされ、また、ロック状態が安定するように、手間をかけることなく取り付けられるようにすることを目的とする。
【課題を解決するための手段】
【０００５】  この考案では、扉の開き防止具を取り付けるための取り付け用治具であり、扉に取り付けられる第１の部材と前記扉に隣接する構造物に取り付けられて前記第１の部材と互いにロックされる第２の部材とを、互いがロックされる状態に位置決めし、その位置決め状態において前記部材それぞれが前記扉及び前記構造物にそれぞれ取り付けられた後に取り外されて使用されることを特徴とする扉の開き防止具の取り付け用治具を提供する。【０００６】  上記構成によれば、扉の開き防止具は扉に取り付けられる第１の部材と扉に隣接する構造物に取り付けられる第２の部材とが互いがロックされる状態で取り付けられるので、取り付け後にはそのままの状態においてロック動作がスムーズに安定して行われる。その取り付け作業は寸法を測る等して取り付け位置を決めることなく行われる。【０００７】  第２の部材が取り付けられる隣接する構造物は扉枠であってもよく、また両開き扉の場合の隣接する扉であってもよい。また、扉の開き防止具の取り付け用治具は適宜の形状であってよく、また、適宜の形態で使用でき、例えば、部材それぞれの重ね合わせ部位に介在使用されることで有効に用いられる。
【考案の効果】
【０００８】  この考案によれば、扉の開き防止具をロックがスムーズになされ、また、ロック状態が安定するように、手間をかけることなく取り付けられるようなる。
【図面の簡単な説明】
【０００９】
【図１】この考案が使用される両開き扉の開き防止具のロック時の取り付け状態を示す斜視図
【図２】この考案が使用される両開き扉の開き防止具の非ロック時の取り付け態を示す斜視図
【図３】この考案が使用される両開き扉の開き防止具の側面図
【図４】この考案が使用される両開き扉の開き防止具の内部構成を示す断面図
【図５】この考案が使用される両開き扉の開き防止具の操作プレートの斜視図
【図６】この考案が使用される両開き扉の開き防止具の操作プレートの側面図
【図７】この考案が使用される両開き扉の開き防止具の台座の斜視図
【図８】この考案が使用される両開き扉の開き防止具の台座の平面図
【図９】この考案が使用される両開き扉の開き防止具のロック動作の説明図
【図１０】この考案が使用される両開き扉の開き防止具のロック動作の説明図
【図１１】この考案が使用される両開き扉の開き防止具のロック動作の説明図
【図１２】この考案の扉の開き防止具のガイド部材の斜視図
【図１３】この考案の扉の開き防止具のガイド部材の側面図
【図１４】この考案の扉の開き防止具のガイド部材の使用説明図
【図１５】この考案が使用される両開き扉の開き防止具の本体部の背面図
【考案を実施するための形態】
【００１０】  図１は両開き扉の開き防止具のロック時の取り付け状態を示す斜視図、図２は同非ロック時の取り付け状態を示す斜視図、図３は両開き扉の開き防止具の側面図、図４は同内部構成を示す断面図である。
【００１１】  両開き扉の開き防止具１は金属製で本体部（第１部材）３と台座４（第２部材）とからなり、それぞれは両開き扉の開き縁５において両方の扉７ａ、７ｂそれぞれの互いに隣接する表面８、８上に裏面が両面テープ等により貼り付けられて使用される。
【００１２】  本体部３前面は格子９構成で、裏面側に段部１０を備えることでその一方側部１２と他方側部１３とがその厚み寸法を異にしている。厚み寸法が小さい一方側部１２には方形の嵌合穴１５が表裏を連通するように設けられ、その内部空間１４には操作プレート１６（ロック機構、ロック状態の解除操作機構）が装着されている。
【００１３】  操作プレート１６は、図５、図６に示すように、上記嵌合穴１５に相対配置される方形の係止開口１９を備えるとともに表裏の両面にスライド移動用の凸条２０と凹条２１とを２本ずつ備え、それらが一方側部１２の内部空間１４の内面の対応する位置に設けられた凹条と凸条とにそれぞれ合致される状態においてスライド移動可能に設けられている。
【００１４】  さらに、操作プレート１６は先端側の両端に一方側部１２の側壁内面に係止する係止部２３、２３を備え、先端側の中央が一方側部１２の内部空間１４の奥部に設けられたコイルバネ２５に押されることで外方に付勢されている。操作プレート１６は一方側部１２の端部に設けられた装着開口３０より内部に差し入れられて装着され、装着された状態においてその端部を押し込み操作部３２として装着開口３０から外部に突出させている。装着に際しては、内側に溝３５、３５それぞれがあることで係止部２３、２３それぞれが溝３５、３５側に変位し、これにより装着開口３０より差し入れることができ、装着後は係止部２３、２３が弾力的に復帰して側壁内面に係止する。係止部２３、２３が係止することで操作プレート１６は装着開口３０から外方に離脱することはない。
【００１５】  台座４は、図７、図８に示すように、その表面の中央にロック用の突起４０を一体に備え、ロック時においてはその突起４０を上記嵌合穴１５、係止開口１９に嵌合させる状態において一方側部１２の下方に配置される。突起４０には斜面４１を持つ係止凸部４２が一体に設けられている。また、前面の４か所には位置決め穴４５のそれぞれが設けられている。
【００１６】  以下、動作説明を行う。図２の状態から本体部３の取り付けられた扉７ａが閉じられることで、開き防止具１は図１のロック状態となって両扉７ａ、７ｂは閉じ状態に固定される。
【００１７】  図９は上記の扉７ａが閉じられる際における扉７ａが扉７ｂに接近した状態で、この位置からさらに扉７ａが閉じられることで台座４の突起４０が後方から本体部３の嵌合穴１５内に入り、図１０に示すように、係止凸部４２の傾斜面４１が操作プレート１６の係止開口１９の一方の傾斜縁部１９ａに当たり、さらに、突起４０が入り込むのに伴って傾斜面４１が傾斜縁部１９ａを押し、傾斜縁部１９ａが押されることで操作プレート１６はコイルバネ２５のバネ力に抗して本体部３の奥側に変位する。これにより係止凸部４２が傾斜縁部１９ａを越え、コイルバネ２５のバネ力で操作プレート１６が元の位置に復帰し、図１１に示すように、係止凸部４２が操作プレート１６の係止開口１９の一方の縁面１９ｂに係止可能となる。上記の一連動作は扉７ａを閉じる動作において自動的になされる。
【００１８】  この状態において扉７ａが開かれようとして突起４０に抜き方向に力が働いても、係止凸部４２が縁面１９ｂに係止することで突起４０は嵌合穴１５から抜き出されずロック状態となり、両扉７ａ、７ｂは閉じ状態に固定される。
【００１９】  ロック状態の解除は、ロック操作プレート１６の押し込み操作部３２を押し込むことで行い、押し込むことで操作プレート１６がコイルバネ２５のバネ力に抗して本体部３の奥側に変位し、係止凸部４２が縁面１９ｂから外れ後退することでロック状態が解除され、突起４０が嵌合穴１５から抜き出せる状態となる。
【００２０】  上記のロック動作とその解除動作とが支障なく行われるには、扉７ａの開閉に際して嵌合穴１５に突起４０がスムーズに入り込み、かつ、抜き出される必要があり、そのためには本体郁３と台座４とが扉７ａ、７ｂそれぞれの所定の位置に精度良く取り付けられなければならない。その取り付けは図１２、図１３で示す位置決め用のガイド部材５０を使用して行われる。
【００２１】  ガイド部材５０は樹脂製で円形環状であり、その両面の対応する４か所の位置に位置決め突起５１…のそれぞれが設けられている。図１４はその使用状態を示し、ガイド部材５０は位置決め突起５１のそれぞれが台座４の上面設けられた４個の位置決め穴４５…と、図１５に示すように本体部３の一方側部１２の後面に設けられた４個の位置決め穴５２…それぞれに嵌合され、台座４と本体部３の一方側部１２との間に挟まれる状態で配置される。
【００２２】  そのガイド部材５０を介して台座４と本体部３とが一体とされた状態において、嵌合穴４０に突起１５が位置ずれすることなく正確に嵌合するようにガイド部材５０における位置決め突起５１と本体部３と台座４との位置決め穴５２…、４５…とが設計配置されている。その一体とされた状態において裏面が貼り付けられて閉じられた状態の両扉７ａ、７ｂ表面に取り付けられ、その取り付け後にガイド部材５０は取り外される。したがって、取り付け後において扉７ａの開閉に際して嵌合穴１５に突起４０がスムーズに入り込み、かつ、抜き出される。このようにして、両開き扉の開き防止具１は本体部３と台座４とが、容易に、かつ、精度良く両扉７ａ、７ｂ表面の所定の位置に取り付けられる。
【符号の説明】
【００２３】１  両開き扉の開き防止具
３  本体部（第１の部材）
４  台座（第２の部材）
７ａ  扉
７ｂ  扉（構造物）
５０  位置決めガイド部材
【図１】
0003181194.tif 000003
【図２】
0003181194.tif 000004
【図３】
0003181194.tif 000005
【図４】
0003181194.tif 000006
【図５】
0003181194.tif 000007
【図６】
0003181194.tif 000008
【図７】
0003181194.tif 000009
【図８】
0003181194.tif 000010
【図９】
0003181194.tif 000011
【図１０】
0003181194.tif 000012
【図１１】
0003181194.tif 000013
【図１２】
0003181194.tif 000014
【図１３】
0003181194.tif 000015
【図１４】
0003181194.tif 000016
【図１５】
0003181194.tif 000017